(57)【特許請求の範囲】
【請求項１】
エアポンプの外殻ケースに形成された空気取り入れ口に設けられるエアフィルタであって、空気取り入れ口に閉塞取着される支持部材に外殻ケースの内方へ開口した空気室となる凹所を形成し、該凹所の開口に通気性を有するフィルタ部材を張設し、同凹所の底部に外殻ケースの外方へ連通開口する通気口を形成し、同フィルタ部材との間にスペースをあけて内蓋部材を同支持部材に取着し、外殻ケース内に設置されるポンプ本体と接続される連結口を同内蓋部材に形成してなるエアフィルタ。
【請求項２】
凹所内に連通気泡の発泡体でなる消音用発泡部材を収容設置したことを特徴とする請求項１記載のエアフィルタ。
【請求項３】
凹所の底部内面に筒状部を突設し、消音用発泡部材の中程に表裏に貫通した孔部を形成し、該孔部を前記筒状部外側に嵌合させて同消音用発泡部材を前記凹所内に収容設置し、フィルタ部材に挿通され前記筒状部内に螺合挿入されるネジ部材によって同フィルタ部材を張設固定したことを特徴とする請求項２記載のエアフィルタ。
【発明の詳細な説明】
【０００１】
【発明の属する技術分野】
本発明は、エアポンプの空気取り入れ口に設けられ、空気が吸入される際に塵や埃等を取り除くエアフィルタに関するものである。
【０００２】
【従来の技術】
従来から、図５に示す如く、エアポンプＢの外殻ケース１に形成された空気取り入れ口２に設けられるエアフィルタであって、空気取り入れ口２にフィルタを支持する支持部材３を閉塞取着してなるエアフィルタは知られている。該エアポンプＢにあっては、外殻ケース１内にポンプ本体８が設置されると共に、同外殻ケース１内に、前記空気取り入れ口２に取着されてフィルタを支持する支持部材３とは別個に独立して、二つの空気室20、22が形成されている。又、フィルタを支持する支持部材３、空気室22、ポンプ本体８、空気室20が、この順で各配管19を介して接続されている。
【０００３】
この場合、ポンプ本体８が作動されると、空気取り入れ口２から空気が吸入され、その際に、エアフィルタによって同空気から塵や埃等が取り除かれる。エアポンプＢ内に吸入された前記空気は、空気室22、ポンプ本体８、空気室20をこの順で通過した後、該空気室20から同エアポンプＢ外へと送出される。そして、エアポンプＢから送出される空気は、配管19を介してエアマットやエアベッド等の被加圧体21へと加圧供給される。その際、空気の加圧・吸入時に生じる脈動による空気振動の騒音が、ポンプ本体８の前後流路に配設される両空気室20、22のバッファ作用によって確実に防止される。
【０００４】
【発明が解決しようとする課題】
しかしながら、上記従来の技術においては、二つの空気室20、22が、外殻ケース１内で空気取り入れ口２に取着されてフィルタを支持する支持部材３とは別個に独立して形成されているので、エアポンプＢの内部構造が複雑で配管接続部位も多く、同エアポンプＢは製造コストが高くなっていた。又、この場合、一方の空気室22を省略すれば製造コストは低減されるが、該空気室22を無くすと、空気吸入の際に生じる吸入音の騒音は防止されなくなる。
【０００５】
本発明は、上記従来の技術における問題を悉く解決するために発明されたもので、その課題は、取り付けられるエアポンプの内部構造が簡略化され、同内部での配管接続部位も少なくなり、空気吸入の際に生じる吸入音の騒音は確実に防止されるようになって、エアポンプ用として最適なエアフィルタを提供することである。
【０００６】
【課題を解決するための手段】
本発明の請求項１記載のエアフィルタは、エアポンプの外殻ケースに形成された空気取り入れ口に設けられるエアフィルタであって、空気取り入れ口に閉塞取着される支持部材に外殻ケースの内方へ開口した空気室となる凹所を形成し、該凹所の開口に通気性を有するフィルタ部材を張設し、同凹所の底部に外殻ケースの外方へ連通開口する通気口を形成し、同フィルタ部材との間にスペースをあけて内蓋部材を同支持部材に取着し、外殻ケース内に設置されるポンプ本体と接続される連結口を同内蓋部材に形成してなる。
【０００７】
したがって、この場合、エアポンプの外殻ケースに形成された空気取り入れ口に支持部材は閉塞取着され、該支持部材の凹所の底部に形成された通気口から空気が吸入されて、該吸入された空気は、同凹所内を通って該凹所の開口に張設されたフィルタ部材を通過された後、該フィルタ部材と内蓋部材との間のスペースを通って該内蓋部材に形成された連結口から同外殻ケース内に設置されるポンプ本体へと送気される。
【０００８】
その際、吸入された空気からフィルタ部材によって塵や埃等が取り除かれ、しかも、空気吸入時に生じる吸入音の騒音は、前記凹所が空気室となり該空気室のバッファ作用によって確実に防止される。又、その際、フィルタ部材と内蓋部材との間のスペースでも空気の脈動による振動が緩和されて、騒音の発生はより確実に防止される。
【０００９】
更に、この場合、フィルタ部材を張設支持する支持部材に空気室となる凹所が一体に形成されるので、エアポンプの内部構造は簡略化され、同フィルタ部材と空気室とを接続する配管が不要となって、同エアポンプ内部での配管接続部位も少なくなる。それ故、エアポンプは組立製造が容易なものとなって、そのコスト低減も図られ、エアポンプ用として最適なエアフィルタとなる。
【００１０】
本発明の請求項２記載のエアフィルタは、上記請求項１記載のエアフィルタにおいて、凹所内に連通気泡の発泡体でなる消音用発泡部材を収容設置したことを特徴とする。
【００１１】
したがって、この場合は特に、空気室となる凹所内に収容設置された発泡体でなる消音用発泡部材によって、空気吸入時に生じる吸入音が吸収消音され、該吸入音による騒音の発生はより確実に防止される。
【００１２】
本発明の請求項３記載のエアフィルタは、上記請求項２記載のエアフィルタにおいて、凹所の底部内面に筒状部を突設し、消音用発泡部材の中程に表裏に貫通した孔部を形成し、該孔部を前記筒状部外側に嵌合させて同消音用発泡部材を前記凹所内に収容設置し、フィルタ部材に挿通され前記筒状部内に螺合挿入されるネジ部材によって同フィルタ部材を張設固定したことを特徴とする。
【００１３】
したがって、この場合は特に、凹所の底部内面に突設された筒状部にネジ部材が螺合挿入されることによりフィルタ部材は確実に張設固定され、しかも、その際、同凹所内に収容される消音用発泡部材が同筒状部に嵌合保持されてずれ動かないよう確実に設置される。
【００１４】
【発明の実施の形態】
図１〜４は、本発明の請求項１〜３全てに対応する一実施形態を示し、該実施形態のエアフィルタは、エアポンプＡの外殻ケース１に形成された空気取り入れ口２に設けられるものであって、空気取り入れ口２に閉塞取着される支持部材３に外殻ケース１の内方へ開口した空気室となる凹所４を形成し、該凹所４の開口に通気性を有するフィルタ部材５を張設し、同凹所４の底部に外殻ケース１の外方へ連通開口する通気口６を形成し、同フィルタ部材５との間にスペースＳをあけて内蓋部材７を同支持部材３に取着し、外殻ケース１内に設置されるポンプ本体８と接続される連結口９を同内蓋部材７に形成してなる。
【００１５】
又、該実施形態のエアフィルタにおいては、凹所４内に連通気泡の発泡体でなる消音用発泡部材10を収容設置している。この場合、凹所４の底部内面に筒状部11を突設し、消音用発泡部材10の中程に表裏に貫通した孔部12を形成し、該孔部12を前記筒状部11外側に嵌合させて同消音用発泡部材10を前記凹所４内に収容設置し、フィルタ部材５に挿通され前記筒状部11内に螺合挿入されるネジ部材13によって同フィルタ部材５を張設固定してもいる。
【００１６】
又、該実施形態のエアフィルタにおいて、支持部材３は合成樹脂成形品で、その外周にフランジ片部14が一体に突設されており、該フランジ片部14をエアポンプＡの外殻ケース１に形成された空気取り入れ口２の口縁に係合させて、該空気取り入れ口２に同支持部材は嵌め込むようにして取り付けられる。又、支持部材３には、予め、消音用発泡部材10及びフィルタ部材５が装着されるもので、その際、図２に示す如く、同消音用発泡部材10、フィルタ部材５がこの順でネジ部材13によりまとめて装着される。
【００１７】
すなわち、支持部材３は略長方形状でその中程に略正方形状の凹所４が一体に形成されており、該凹所４の底部内面略中央には略円筒状で内周に雌ネジを有する筒状部11が一体に突設されている。この場合、支持部材３には一段低くなった凹段部15が設けられており、該凹段部15から更に低く凹むよう凹所４は形成されている。又、消音用発泡部材10は発泡ポリウレタンのようなスポンジ状の連通気泡を有する発泡体でなり、前記凹所４内に収容嵌合されるよう該凹所４よりも若干小さい略正方形状に形成されていて、その略中央に前記筒状部11が挿入嵌合されるよう該筒状部11よりも若干大きい略円形状の孔部12が穿設されている。
【００１８】
そして、孔部12が筒状部11外側に嵌合されると共に、消音用発泡部材10は凹所４内に収容嵌合されて設置される。その際、消音用発泡部材10の厚さ寸法が凹所４の深さ寸法と略等しく設定されていて、該凹所４の開口と略面一となるよう同消音用発泡部材10は同凹所４内に収容嵌合される。なお、凹所４の底部にはその略中央の筒状部11を中心とした点対称位置に、二つの通気口６が配設形成されている。次に、凹所４の開口にはフィルタ部材５が設置されるもので、該フィルタ部材５は格子状のフレーム16の外側に不織布のようなシート17を張着して形成され、該フレーム16の略中央に同フィルタ部材５を同シート17と共に貫通する取付孔18が形成されている。
【００１９】
その後、フィルタ部材５の取付孔18を挿通されるネジ部材13を、消音用発泡部材10の孔部12内に挿入嵌合された筒状部11内に螺合挿入して締め付けることにより、同フィルタ部材５の周縁が凹所４の開口縁に当接して、該凹所４の内底面と同フィルタ部材５との間に同消音用発泡部材10は挟持される。そして、図１に示す如く、前記支持部材３の凹段部15の周縁部分に内蓋部材７の外縁部分を固着することにより、該内蓋部材７とフィルタ部材５との間にスペースＳが形成されるようにして同内蓋部材７は取着される。なお、内蓋部材７は合成樹脂で一体に形成されたもので、その中程に外殻ケース１の内方へ突出する短筒状の連結口９が一つ形成されている。
【００２０】
又、該エアポンプＡにあっては、外殻ケース１の側壁に上記空気取り入れ口２が形成されており、該空気取り入れ口２には上記エアフィルタが嵌着して設けられ、同側壁とは反対側の側壁に第二の空気室20が形成されている。そして、エアポンプＡの外殻ケース１内にはポンプ本体８が設置されており、上記空気取り入れ口２に取り付けられたエアフィルタ、ポンプ本体８、空気室20が、この順で各配管19を介して連通接続されている。その際、上記エアフィルタの内蓋部材７に突設された連結口９に、配管19の一端が嵌合接続される。
【００２１】
この場合、ポンプ本体８が作動されると、上記エアフィルタの両通気口６から空気が吸入され、その際に、同エアフィルタの消音用発泡部材10及びフィルタ部材５によって同空気から塵や埃等が取り除かれ、従来に比して、フィルタ作用は向上されるものである。そして、エアポンプＡ内に吸入された前記空気は、ポンプ本体８、空気室20をこの順で通過した後、該空気室20から同エアポンプＡ外へと送出される。
【００２２】
又、エアポンプＡから送出される空気は、柔軟な可撓性ホースでなる配管19を介して被加圧体21へと加圧供給される。この場合、図４に示す如く、被加圧体21は柔軟で密封さた袋状でエアベッドとして使用されるものであり、エアポンプＡから配管19を通じてエアが供給されたり、該エアが同配管19を通じて排気されたりして拡縮動作され、これによって、良好な寝心地感やマッサージ作用を得ることができるものである。
【００２３】
したがって、該実施形態のエアフィルタにおいては、エアポンプＡの外殻ケース１に形成された空気取り入れ口２に支持部材３は閉塞取着され、該支持部材３の凹所４の底部に形成された通気口６から空気が吸入されて、該吸入された空気は、同凹所４内を通って該凹所４の開口に張設されたフィルタ部材５を通過された後、該フィルタ部材５と内蓋部材７との間のスペースＳを通って該内蓋部材７に形成された連結口９から配管19を通じて同外殻ケース１内に設置されるポンプ本体８へと送気される。
【００２４】
その際、通気口６より吸入された空気からフィルタ部材５によって塵や埃等が取り除かれ、しかも、空気吸入時に生じる吸入音の騒音は、前記凹所４が空気室となると共に第二の空気室20も設けられており、ポンプ本体８の前後流路に配設される同両空気室のバッファ作用によって確実に防止される。又、その際、フィルタ部材５と内蓋部材７との間のスペースＳでも空気の脈動による振動が緩和されて、騒音の発生はより確実に防止される。
【００２５】
更に、この場合、フィルタ部材５を張設支持する支持部材３に空気室となる凹所４が一体に形成されるので、エアポンプＡの内部構造は簡略化され、同フィルタ部材５と空気室（凹所４）とを接続する配管が不要となって、同エアポンプＡ内部での配管接続部位も少なくなる。それ故、エアポンプＡは組立製造が容易なものとなって、そのコスト低減も図られ、エアポンプ用として最適なエアフィルタとなる。
【００２６】
又、該実施形態のエアフィルタにおいては、空気室となる凹所４内に収容設置された発泡体でなる消音用発泡部材10によって、空気吸入時に生じる吸入音が吸収消音され、該吸入音による騒音の発生はより確実に防止される。更には、この場合に、凹所４の底部内面に突設された筒状部11にネジ部材13が螺合挿入されることによりフィルタ部材５は確実に張設固定され、しかも、その際、同凹所４内に収容される消音用発泡部材10が同筒状部11に嵌合保持されてずれ動かないよう確実に設置される。
【００２７】
【発明の効果】
上述の如く、本発明の請求項１記載のエアフィルタにおいては、吸入音の騒音が空気室となる凹所のバッファ作用によって防止され、フィルタ部材と内蓋部材との間のスペースでは空気振動も緩和され、騒音の発生が確実に防止される。しかも、支持部材に空気室となる凹所が一体に形成されていて、エアポンプの内部構造は簡略化され、同エアポンプ内部での配管接続部位も少なくなって、エアポンプが組立容易で製造コストも低減され、エアポンプ用として最適なエアフィルタとなる。
【００２８】
又、本発明の請求項２記載のエアフィルタにおいては、特に、凹所内に収容設置された発泡体でなる消音用発泡部材によって、空気吸入時に生じる吸入音が吸収消音され、該吸入音による騒音の発生はより確実に防止される。
【００２９】
又、本発明の請求項３記載のエアフィルタにおいては、特に、筒状部にネジ部材が螺合挿入されることによりフィルタ部材は確実に張設固定され、その際、消音用発泡部材も同筒状部に嵌合保持されて確実に設置される。
【図面の簡単な説明】
【図１】本発明の一実施形態であるエアフィルタが取り付けられたエアポンプを示す縦断面図。
【図２】同エアフィルタの要部を示す分解斜視図。
【図３】同エアポンプの使用状態を示す概略構成ブロック図。
【図４】同エアポンプの使用状態を示す外観斜視図。
【図５】従来例であるエアフィルタが取り付けられたエアポンプの使用状態を示す概略構成ブロック図。
【符号の説明】
１  外殻ケース
２  空気取り入れ口
３  支持部材
４  凹所
５  フィルタ部材
６  通気口
７  内蓋部材
８  ポンプ本体
９  連結口
Ａ  エアポンプ
Ｂ  エアポンプ
Ｓ  スペース
【図１】
0003858587.tif 000002
【図２】
0003858587.tif 000003
【図３】
0003858587.tif 000004
【図４】
0003858587.tif 000005
【図５】
0003858587.tif 000006